(57)【要約】【課題】  画像データに対する処理を指示する際のユーザの操作をより簡単にする。【解決手段】  デジタルカメラ２００がプリントステーションに載置されると、デジタルカメラ２００内のメモリに記憶された画像データがプリントステーション１００に入力され、プリントステーション１００内のメモリに記憶される。プリントステーション１００からの指示により、デジタルカメラ２００は、画像データに対する複数の処理の処理名を示すメニューを液晶表示装置２４０に表示する。ユーザーがメニューをタッチした場合は、タッチされた位置に対応する処理を画像データに実行する。例えば、画像データを、インターネットを介して。ウェブサイトにアップする。【選択図】        図１
2006081001.tif 000002
【特許請求の範囲】
【請求項１】
被写体を撮影する撮影手段、該撮影により得られた画像データを記憶する第１の記憶手段、該第１の記憶手段に記憶された画像データに基づく画像を表示する表示手段、及び該表示手段がタッチされた位置を検出する検出手段を備えた撮像装置と、
前記撮像装置から前記第１の記憶手段に記憶された画像データを入力する入力手段、及び該入力手段により入力された画像データを記憶する第２の記憶手段を備えた画像データ処理装置と、
を備えた画像データ処理システムであって、
前記表示手段は、画像データに対した実行する複数の処理の処理名を表示し、
前記検出手段は、前記表示手段に表示された複数の処理の処理名の何れの処理名の部分がタッチされたかを検出し、
前記検出手段により検出された処理名の処理を、前記第２の記憶手段に記憶された画像データに実行する実行手段を備えた
ことを特徴とする画像データ処理システム。
【請求項２】
前記画像データ処理装置は、インターネットに接続する接続手段を備え、
前記複数の処理の内の１つは、前記接続手段により前記インターネットに接続して画像データに対して行う処理である、
ことを特徴とする請求項１記載の画像データ処理システム。
【請求項３】
前記複数の処理には、エイチ・ティ・エム・エル（HTML）表示、ジャバ（Java（登録商標））の実行、及び動画再生の内の少なくとも１つが含まれていることを特徴とする請求項１又は請求項２記載の画像データ処理システム。
【請求項４】
被写体を撮影する撮影手段、該撮影により得られた画像データを記憶する第１の記憶手段、該第１の記憶手段に記憶された画像データに基づく画像を表示する表示手段、該表示手段がタッチされた位置を検出する検出手段、及び前記第１の記憶手段に記憶された画像データを外部の画像データ処理装置に出力する出力手段を備えた撮像装置であって、
前記表示手段は、画像データに対した実行する複数の処理の処理名を表示し、
前記検出手段は、前記表示手段に表示された複数の処理の処理名の何れの処理名の部分がタッチされたかを検出し、
前記出力手段は、前記検出手段により検出された処理名の処理を、前記外部の画像データ処理装置への出力する
ことを特徴とする撮像装置。
【発明の詳細な説明】
【技術分野】
【０００１】
本発明は、画像処理システム及び撮像装置にかかり、特に、撮像装置と画像データ処理装置を備えた画像処理システム、及び撮像装置に関する。
【背景技術】
【０００２】
従来、デジタルカメラの表示部にタッチパネルを配設し、表示部の画面上で撮影者により主被写体が押圧（タッチ）されると、その押圧位置を検出して、主被写体に合わせたフォーカス調整及び露出調整を行うデジタルカメラが提案されている（特許文献１参照）。しかし、上記デジタルカメラでは、画像を印刷する場合にパソコンを経由したり、プリントサービスの店にメモリーカードを持参する等、機械操作が苦手な人には手間がかかり煩雑であった。
【０００３】
このような点に鑑み、デジタルカメラが載置される保持部を備え、保持部にデジタルカメラが載置（ドッキング）されると、デジタルカメラから画像データを受信して印刷すると共に、デジタルカメラに電力を供給してバッテリー不足を解消するデジタルカメラドッキングステーションが提案されている（特許文献２参照）。
【特許文献１】特開平11-136568号公報
【特許文献２】特開2002-234235号公報
【発明の開示】
【発明が解決しようとする課題】
【０００４】
しかし、上記デジタルカメラドッキングステーションでは、画像データに対する処理を指示するための操作パネルは従来のプリンタと同様に、機械操作が苦手な人にはわかりにくい。さらにインターネット上の各種サービスを受けるには、パソコンが必要であった。
【０００５】
本発明は、上記事実に鑑み成されたものであって、画像データに対する処理を指示する際のユーザの操作をより簡単にした画像処理システム及び撮像装置の提供を目的とする。
【課題を解決するための手段】
【０００６】
上記目的を達成するために請求項１に記載の発明は、被写体を撮影する撮影手段、該撮影により得られた画像データを記憶する第１の記憶手段、該第１の記憶手段に記憶された画像データに基づく画像を表示する表示手段、及び該表示手段がタッチされた位置を検出する検出手段を備えた撮像装置と、前記撮像装置から前記第１の記憶手段に記憶された画像データを入力する入力手段、及び該入力手段により入力された画像データを記憶する第２の記憶手段を備えた画像データ処理装置と、を備えた画像データ処理システムであって、前記表示手段は、画像データに対した実行する複数の処理の処理名を表示し、前記検出手段は、前記表示手段に表示された複数の処理の処理名の何れの処理名がタッチされたかを検出し、前記検出手段により検出された処理名の処理を、前記第２の記憶手段に記憶された画像データに実行する実行手段を備えたことを特徴とする。
【０００７】
上記のように撮影手段は、被写体を撮影する撮影手段、該撮影により得られた画像データを記憶する第１の記憶手段、該第１の記憶手段に記憶された画像データに基づく画像を表示する表示手段、及び該表示手段がタッチされた位置を検出する検出手段を備えている。
【０００８】
撮影手段の撮影手段は、被写体を撮影し、第１の記憶手段は、撮影手段による撮影により得られた画像データを記憶する。表示手段は、第１の記憶手段に記憶された画像データに基づく画像を表示する。そして、検出手段は、表示手段がタッチされた位置を検出する。
【０００９】
一方、画像データ処理装置は、前記撮像装置から前記第１の記憶手段に記憶された画像データを入力する入力手段、及び該入力手段により入力された画像データを記憶する第２の記憶手段を備えている。
【００１０】
入力手段は、撮像装置から第１の記憶手段に記憶された画像データを入力する。なお、撮影装置及び画像データ処理装置各々に接触手段を備え、入力手段は、接触手段を介して撮像装置から第１の記憶手段に記憶された画像データを入力してもよい。また、入力手段は、接触しないで、無線で撮像装置から第１の記憶手段に記憶された画像データを受信することにより入力してもよい。更には、入力手段は、画像データが記憶された記憶媒体を用いて画像データを入力するようにしてもよい。
【００１１】
そして、本発明では、撮像装置における表示手段は、画像データに対して実行する複数の処理の処理名を表示し、検出手段は、表示手段に表示された複数の処理の処理名の何れの処理名の部分がタッチされたかを検出し、実行手段は、検出手段により検出された処理名の処理を、画像データ処理装置における第２の記憶手段に記憶された画像データに実行するようにしている。
【００１２】
このように、複数の処理の処理名を表示し、タッチされた処理名の処理を画像データに実行するので、画像データに対する処理を指示する際、ユーザは、処理名の部分をタッチすれば済み、操作をより簡単にすることができる。
【００１３】
上記複数の処理について説明する。この処理には、例えば、画像データに基づく印刷処理、表示処理、画像データの整理などがあり、更には、次の処理もある。
【００１４】
即ち、例えば、請求項２のように、画像データ処理装置は、インターネットに接続する接続手段を備え、処理は、接続手段によりインターネットに接続して画像データに対して行う処理がある。例えば、画像データを電子メールで送信したり、ウエブページにアプしたり、する処理である。
【００１５】
また、請求項３のように、処理には、エイチ・ティ・エム・エル（HTML）表示、ジャバ（Java（登録商標））の実行、及び動画再生の内の少なくとも１つがある。
【００１６】
請求項４記載の発明は、被写体を撮影する撮影手段、該撮影により得られた画像データを記憶する第１の記憶手段、該第１の記憶手段に記憶された画像データに基づく画像を表示する表示手段、該表示手段がタッチされた位置を検出する検出手段、及び前記第１の記憶手段に記憶された画像データを外部の画像データ処理装置に出力する出力手段を備えた撮像装置であって、前記表示手段は、画像データに対した実行する複数の処理の処理名を表示し、前記検出手段は、前記表示手段に表示された複数の処理の処理名の何れの処理名の部分がタッチされたかを検出し、前記出力手段は、前記検出手段により検出された処理名の処理を、前記外部の画像データ処理装置への出力することを特徴とする。
【００１７】
本発明は、被写体を撮影する撮影手段、該撮影により得られた画像データを記憶する第１の記憶手段、該第１の記憶手段に記憶された画像データに基づく画像を表示する表示手段、該表示手段がタッチされた位置を検出する検出手段、及び前記第１の記憶手段に記憶された画像データを外部の画像データ処理装置に出力する出力手段を備えた撮像装置である。
【００１８】
表示手段は、画像データに対した実行する複数の処理の処理名を表示し、検出手段は、表示手段に表示された複数の処理の処理名の何れの処理名の部分がタッチされたかを検出し、出力手段は、検出手段により検出された処理名の処理を、外部の画像データ処理装置への出力する。
【００１９】
このように、複数の処理の処理名を表示し、タッチされた処理名の処理を画像データに実行するので、画像データに対する処理を指示する際、ユーザは、処理名の部分をタッチすれば済み、操作をより簡単にすることができる。
【発明の効果】
【００２０】
以上説明したように本発明は、複数の処理の処理名を表示し、タッチされた処理名の処理を画像データに実行するので、画像データに対する処理を指示する際、ユーザは、処理名の部分をタッチすれば済み、操作をより簡単にすることができる、という効果がある。
【発明を実施するための最良の形態】
【００２１】
以下、図面を参照して本発明の実施の形態の一例を詳細に説明する。
【００２２】
図１に示すように、本実施の形態の画像データ処理システムは、大画面の液晶表示装置２４０、及び液晶表示装置２４０の画面にユーザがタッチした場合に、そのタッチ位置情報を検出するタッチパネル２５０とを備えたデジタルカメラ２００と、デジタルカメラ２００が載置され、載置されたデジタルカメラ２００を保持する保持部（１０１（図２参照））を備え、デジタルカメラ２００で撮影した画像を、パソコン等の情報機器を介さずに、記憶し印刷すると共に、インターネット上の各種サービスの利用や電子メールに画像を添付して送る等の一連のデジタルカメラ撮影後の処理を実行するプリントステーション１００と、を備えている。
【００２３】
デジタルカメラ２００では、液晶表示装置２４０とタッチパネル２５０がデジタルカメラ本体に、図示しない２軸ヒンジを用いて接続されている。２軸ヒンジにより、使わない時は、液晶表示装置２４０とタッチパネル２５０を裏返しにして格納することにより、誤操作や傷から守ることができる。また、使用中は、カメラ２００本体に対して自由な角度で画面を閲覧したりタッチパネルでの操作が可能である。液晶表示装置２４０とタッチパネル２５０による後述する操作により、機械操作に不慣れなユーザーにもわかりやすく簡易な操作を実現している。
【００２４】
図２は、プリントステーション１００とデジタルカメラ２００の間のインタフェースを説明する概略図を示す。また、図２は、プリントステーション１００およびデジタルカメラ２００内部に配置される各電子素子およびそのそれぞれの相互接続の例についても図示している。デジタルカメラ２００における正極導体２１３には配線２５２が接続され、接地導体２１２には配線２５０が接続される。ここで使用される「配線」という用語は、プリント回路基板上の従来のワイヤまたはランド等、単一および多数の電気的導体をいう。配線２５２は、正極導体２１３を電流センサ２１１に接続する機能を果たす。別の配線２５６は、電流センサ２１１をバッテリ２１０に接続する。配線２５０は、接地導体２１２をバッテリ２１０に接続する機能を果たす。
【００２５】
配線２６２は、電流センサ２１１をプロセッサ２２０に電気接続する。配線２６２は、正極導体２１３とバッテリ２１０の間に電流が流れているか否かを示す信号（ドッキング検出信号）をプロセッサ２２０に供給することができる。配線２２１および配線２２２は、プロセッサ２２０を信号導体２２３と中立導体２２４にそれぞれ接続することができる。配線２２１および２２２は、一例としてデータ線としてもよい。プロセッサ２２０には、撮像部２４５、液晶表示部２４０、及びタッチパネル２５０が接続されている。メモリ２３０は、たとえば配線２７８によりプロセッサ２２０に接続される。メモリ２３０は、一例として磁気、光学または半導体素子としてもよい。さらに、メモリ２３０は、デジタルカメラ２００から取り外し可能としてもよい。
【００２６】
以上、デジタルカメラ２００の各要素の一例を説明してきたが、次に、プリントステーション１００の各要素およびその相互接続の例について説明する。プリントステーション１００は、電源コード１１５により電源供給されることが可能である。電源コード１１５は、プリントステーション１００内部に配置される電源１１０に電気接続可能である。配線１１３および配線１１４は、電源１１０を接地端子１１１および正極端子１１２にそれぞれ電気接続することが可能である。
【００２７】
配線１３３および配線１３４は、信号端子１３１および中立端子１３２をプロセッサ１３０に接続することが可能である。プロセッサ１３０は、プリントステーション１００とデジタルカメラ２００の間のデータの転送を容易にするとともに印刷機能を容易にする機能を果たすことが可能である。プロセッサ１３０は、配線１５１、及びイーサネット（登録商標）インターフェース１５０を介して、図示しないインターネットに接続可能である。プリンタ機構１２１は配線１２１により、大容量のメモリ１４０は配線１４１によりそれぞれ、プロセッサ１３０に接続される。
【００２８】
メモリ１４０は、磁気、光学または半導体装置とすることができ、例えば、ハードディスクやＣＤ−Ｒ、ＤＶＤ−ＲＡＭ等があり、更には、内蔵型や外付け型がある。プリンタ機構１２０は、デジタルカメラ２００で撮影して得られた画像や、上記インターネット情報等を、パソコンを接続することなしに、プロセッサ１３０から送られる制御情報に従って印刷する。インクジェット方式やレーザー方式などがあるが、記録方法は特に限定されない。
【００２９】
プロセッサ１３０は、デジタルカメラ２００で撮影した画像をメモリ１４０に所定の形式で格納保存すると共に、プリンタ本機構１２０を適切に制御して高画質写真印刷することを制御する。これにより、プリントステーション１００は、パソコンを介さずに直接簡易な操作で写真印刷が可能である。また、イーサネット（登録商標）インターフェース１５０を介してデジタルカメラ２００用に用意された各種サービスの提供が受けられるよう、ウェブページ（Ｗｅｂページ）の閲覧や操作を、デジタルカメラ２００の液晶表示装置２４０とタッチパネル２５０により行うためのブラウザや電子メール等のインターネット関連ソフトウエア（インターネット情報等）を標準で内蔵する。撮影済み画像の修正結果をデジタルカメラ２００にフィードバックすることにより、露出不足や色合い等の失敗例の設定を自動的に修正することも可能である。
【００３０】
次に、本実施の形態の作用を説明する。図２に示すように、デジタルカメラ２００がプリントステーション１００の保持部１０１に載置されると、デジタルカメラ２００の接地導体２１２、正極導体２１３がプリントステーション１００の接地端子１１１、正極端子１１２とそれぞれ接続される。このように接続されると、プリントステーション１００の電源１１０と、デジタルカメラ２００のバッテリー２１０とが接続される。これにより、デジタルカメラ２００のバッテリー２１０には、プリントステーション１００の電源１１０から電力が供給され、充電される。
【００３１】
このように、プリントステーション１００の電源１１０からの電力がデジタルカメラ２００のバッテリー２１０に供給されると、電流が配線２５２、２５６を流れ、この電流を電流センサ２１１が検知する。電流センサ２１１は、電流を検知すると、デジタルカメラ２００がプリントステーション１００に載置された、即ち、ドッキングされたことを示すドッキング検出信号をプロセッサ２２０に出力する。これにより、プロセッサ２２０は、デジタルカメラ２００がプリントステーション１００の保持部１０１に載置され、ドッキングされたことを認識する。このようにプロセッサ２２０は、電流センサ２１１からドッキング検出信号を入力したとき、図５に示す画像データ処理プログラムをスタートする。画像データ処理プログラムがスタートすると、ステップ４０で、プリントステーション１００にドッキングがあったことを、配線２２１、信号導体２２３、信号端子１３１、及び配線１３３を介して、プリントステーション１００のプロセッサ１３０に報知する。
【００３２】
このように、デジタルカメラ２００のプロセッサ２２０からドッキングが報知されると、プリントステーション１００のプロセッサ１３０は、図３に示す画像データ処理プログラムをスタートする。
【００３３】
このように画像データ処理プログラムがスタートすると、ステップ２０で、デジタルカメラ２００に、画像データの送信を指示する。
【００３４】
このように、プリントステーション１００のプロセッサー１３０から画像データの送信の指示を受けると、図５のステップ４２が肯定判定され、デジタルカメラ２００のプロセッサ２２０は、ステップ４４で、メモリ２３０に記憶された画像データを読み出し、デジタルカメラ１００に送信する。なお、メモリ２３０に記憶された画像データをデジタルカメラ１００に送信すると、デジタルカメラ２００は、送信した画像データをメモリ２３０から消去するようにしてもよい。
【００３５】
このように画像データがデジタルカメラ２００からプリントステーション１００に送信されると、プリントステーション１００のプロセッサ１３０は図３のステップ２２で、画像データを受信しメモリ１４０に格納する。
【００３６】
デジタルカメラ２００からのすべての画像データを受信し、メモリ１４０に格納した場合、次のステップ２４で、デジタルカメラ２００に対し、画像データに対する複数の処理の処理名を示すメニューを表示するように指示する。なお、これは、プリントステーション１００からデジタルカメラ２００に、メニューを示すメニュー情報を送信することにより、指示する。
【００３７】
これにより、図５のステップ４６が肯定判定され、ステップ４８で、デジタルカメラ２００のプロセッサ２２０は、図６に示すようにメニューを表示する。この図６に示すように、メニューには、例えば、一覧表示Ｍ１、一覧印刷Ｍ２、印刷Ｍ３、…ユーティリティＭ１０等の処理名が表示される。
【００３８】
次のステップ５０で、ユーザーにより、メニューがタッチされたか否かをタッチパネル２５０を介して判断する。タッチパネル２５０からの信号に基づいて、メニューにタッチされたと判断された場合には、ステップ５２で、タッチされた位置のタッチ位置情報を検出し、この検出したタッチ位置情報をプリントステーション１００に送信する。例えば、図６に示すように、この例では、ユーザーによりウェブアップ（Ｗｅｂアップ）Ｍ５がタッチされており、このタッチされた位置のタッチ位置情報（Ｘ１、Ｙ１）をプリントステーション１００に送信する。
【００３９】
一方、プリントステーション１００では、ステップ２４の後には、図４に示すメニュー処理を実行する。即ち、メニュー処理（ステップ２６）では、ステップ２８でドッキングが解除されたか否かを判断し、ドッキングが解除されていないと判断された場合には、ステップ３０でどのボタンが押されたかを判断する。即ち、本ステップ３０では、デジタルカメラから送信された上記タッチ位置情報に基づいてどのボタンが押されたかを判断する。
【００４０】
上記のようにＷｅｂアップＭ５に対応する位置のタッチ位置情報（Ｘ１、Ｙ１）が送信されると、このタッチ位置情報に対応する位置のボタンがＷｅｂアップＭ５のボタンであると判断し、Ｗｅｂアップの処理を実行する。すなわち、イーサネット（登録商標）インターフェース１５０、インターネットを介して接続されたウェブサイトに画像データをアップする。
【００４１】
なお、他のボタンがタッチされた場合には、タッチされたボタンに対応する処理を実行する。例えば、一覧表示Ｍ１がタッチされた場合には、ステップ３０Ｍ１で画像データを一覧表示するように、デジタルカメラ２００に指示する。これにより、デジタルカメラ２００は、メモリ２３０に記憶された画像データに基づいて、液晶表示装置２４０に画像（サムネイル画像）を表示する。
【００４２】
また、一覧印刷Ｍ２がタッチされたと判断された場合には、ステップ３０Ｍ２で、プリントステーション１００は、メモリ１４０に記憶された全ての画像データに基づいて、画像(サムネイル画像)を印刷する。
【００４３】
更に、印刷Ｍ３がタッチされたと判断された場合には、ステップ３０Ｍ３で、画像データに基づいて印刷する。即ち、本ステップ３０Ｍ３では、複数の画像がサムネイル画像で表示され、その中からユーザーが一つの画像（サムネイル画像）を選択し、選択した画像を印刷する。
【００４４】
また、ステップ３０Ｍ６では、画像データを、電子メールに添付して、送信する。
【００４５】
なお、ステップ３０Ｍ７では、ウェブページを閲覧（エイチ・ティ・エム・エル（HTML））表示し、ステップ３０Ｍ８では、電子メールを受信する。なお、ステップ３０Ｍ９では、各種の設定をし、ステップ３０Ｍ１０では、ユーティリティ処理を実行する。
【００４６】
なお、その他、ジャバ（Java（登録商標））の実行や、デジタルカメラ２００が動画を記憶する機能を有する場合には、動画再生をしてもよい。
【００４７】
以上の処理が終了し、ユーザーが、デジタルカメラ２００をプリントステーション１００にドッキングさせておく必要がないと判断した場合には、デジタルカメラ２００をプリントステーション１００から引き離す。これにより、ステップ２８が肯定判定、即ち、ドッキングが解除されたと判断し、本画像データ処理プログラムを終了する。なお、本実施の形態では、デジタルカメラ２００からはドッキングが検知されたときから所定時間ごとに信号をプリントステーション１００に送信するようにしており、デジタルカメラ２００とプリントステーション１００とのドッキングが解除されると、デジタルカメラ２００からは所定時間毎の信号が入力されない。よって、このように、デジタルカメラ２００から所定時間毎の信号が入力されないと判断された場合には、ドッキングが解除されたと判断する。なお、その他、接触センサーを設け、接触センサーにより、ドッキングが解除されたことを示すドッキング解除信号を入力したときに、ドッキングが解除されたと判断するようにしてもよい。
【００４８】
一方、デジタルカメラ２００では、前述したように、デジタルカメラ２００とプリントステーション１００とがドッキングすると、プリントステーション１００の電源１１０から電力がデジタルカメラ２００のバッテリー２１０に供給され、これにより、電流センサー２１０がドッキング検知信号をプロセッサー２１０に出力しており、デジタルカメラ２００とプリントステーション１００とのドッキングが解除されると、バッテリー２１０への電力の供給が遮断され、これにより、電流センサー２１１からのドッキング検出信号の入力も停止する。よって、プロセッサー２２０は、このドッキング検出信号が電流センサー２１１から入力されないと判断した場合には、ドッキングが解除されたと判断（ステップ５４Ｙ（図５））し、本画像データ処理プログラムを終了する。なお、デジタルカメラ２００のバッテリー２１０が満充電となった場合でも、電流センサー２１１には電圧が印加され、電圧が印加されている状態では、電流センサー２１１は、プロセッサー２２０にドッキング検出信号を出力する。
【００４９】
以上説明したように本実施の形態では、デジタルカメラの表示部に、画像データに対する複数の処理を示すメニューを表示し、ユーザにこのメニューの中から、実行させたい処理を選択させ、選択された処理を実行するようにしているので、パソコンや機械操作が苦手な人や、パソコンを持っていない人にも、デジタルカメラ撮影後の画像データの保存、印刷、インターネット上の各種サービスの利用等の一連の操作を容易に実行させることができ、画像データに対する処理を指示する際のユーザの操作をより簡単にすることができる。
【００５０】
以上説明した実施の形態では、デジタルカメラからプリントステーションに画像データを、端子を介して入力するようにしているが、本発明はこれに限定されず、ワイヤレスにより送信したり、メモリカードなどの記録媒体を介して、デジタルカメラからプリントステーションに画像データを入力するようにしてもよい。
【００５１】
また、前述した実施の形態では、デジタルカメラとプリントステーションとがドッキングすると、デジタルカメラは、図５に示すように、プリントステーションからの指示以外は受け付けず、プリントステーションにより制御されるスレーブモードになっているが、本発明はこれに限定されるものでなく、デジタルカメラとプリントステーションとがドッキングすると、デジタルカメラは、デジタルカメラに対してユーザが指示した処理を実行するようにしてもよい。また、デジタルカメラ側からプリントステーションを制御して、上記処理を実行するようにしてもよい（マスタモード）。
【図面の簡単な説明】
【００５２】
【図１】本実施の形態に係る画像データ処理システムの概略図である。
【図２】画像データ処理システムのブロック図である。
【図３】プリンターステーションが実行する画像データ処理プログラムを示すフローチャートである。
【図４】図３のステップ２６のメニュー処理のサブプログラムを示すフローチャートである。
【図５】デジタルカメラにより実行される画像データ処理プログラムを示すフローチャートである。
【図６】プリントステーションにより指示されて、デジタルカメラが液晶表示装置に表示したメニューを示す図である。
【符号の説明】
【００５３】
２００  デジタルカメラ
２４５  撮像部
２３０  メモリ
２４０  液晶表示装置
２５０  タッチパネル
１００  プリントステーション
１３０  プロセッサー
１４０  メモリ
１２０  プリンター機構
１５０  イーサネット（登録商標）インターフェース
【図１】
2006081001.tif 000003
【図２】
2006081001.tif 000004
【図３】
2006081001.tif 000005
【図４】
2006081001.tif 000006
【図５】
2006081001.tif 000007
【図６】
2006081001.tif 000008